(57)【要約】【課題】苗載台の作業状態と収納状態との切り換えを簡単に行えるようにする。【解決手段】苗載台を、主苗載部と分割苗載部とに左右に分割可能で、主苗載部と分割苗載部とを左右に連接した作業状態と、作業状態よりも分割苗載部を主苗載部側に寄せて苗載台の左右幅を狭くした収納状態とに切り換え可能な分割収納式に構成した田植機の苗載部連結構造において、主苗載部と分割苗載部とを左右に連接した状態に固定保持するロック状態と、その固定保持を解除する解除状態とに切り換え可能に構成したロック機構５２を備え、ロック機構５２に、主苗載部及び分割苗載部の所定箇所に作用して主苗載部と分割苗載部とを左右に連接した状態に固定保持する複数のロック手段５４，５６と、それら複数のロック手段５４，５６が同じ状態に連動して切り換わるように複数のロック手段５４，５６を連動連結する連結部材５８とを備えた。【選択図】図１４
2013215136.tif 000002
【特許請求の範囲】
【請求項１】
苗載台を、主苗載部と分割苗載部とに左右に分割可能で、前記主苗載部と前記分割苗載部とを左右に連接した作業状態と、前記作業状態よりも前記分割苗載部を主苗載部側に寄せて前記苗載台の左右幅を狭くした収納状態とに切り換え可能な分割収納式に構成した田植機の苗載部連結構造において、
前記主苗載部と前記分割苗載部とを左右に連接した状態に固定保持するロック状態と、その固定保持を解除する解除状態とに切り換え可能に構成したロック機構を備え、
前記ロック機構に、前記主苗載部及び前記分割苗載部の所定箇所に作用して前記主苗載部と前記分割苗載部とを左右に連接した状態に固定保持する複数のロック手段と、それら複数のロック手段が同じ状態に連動して切り換わるように前記複数のロック手段を連動連結する連結部材とを備えた田植機の苗載部連結構造。
【請求項２】
前記複数のロック手段として、前記主苗載部及び前記分割苗載部の表面側に作用する表面側ロック手段と、前記主苗載部及び前記分割苗載部の裏面側に作用する裏面側ロック手段とを備えた請求項１に記載の田植機の苗載部連結構造。
【請求項３】
前記複数のロック手段として、前記主苗載部及び前記分割苗載部の上部側に作用する上部側ロック手段と、前記主苗載部及び前記分割苗載部の下部側に作用する下部側ロック手段とを備えた請求項１に記載の田植機の苗載部連結構造。
【請求項４】
苗載台側に、前記連結部材の移動範囲内に位置して、前記連結部材の乗り越え移動により、前記連結部材を、前記ロック機構が前記ロック状態となるロック位置と前記解除状態となる解除位置とに切り換え保持する位置決め用の突部を備えた請求項１〜３のいずれか一つに記載の田植機の苗載部連結構造。
【請求項５】
前記主苗載部の分割端に位置する苗載面と前記分割苗載部の分割端に位置する苗載面との前記作業状態での離間距離を、前記主苗載部及び前記分割苗載部のそれぞれにおける隣接する苗載面の離間距離と同じに維持するスペーサを備えた請求項１〜４のいずれか一つに記載の田植機の苗載部連結構造。
【請求項６】
前記ロック手段に断面Ｕ字状の板バネで構成したロック具を採用して、前記ロック機構を、前記主苗載部及び前記分割苗載部の各分割端に備えた被挟持部位を前記ロック具が挟持して接合保持した状態を前記ロック状態とする挟持式に構成し、
前記主苗載部及び前記分割苗載部の前記被挟持部位に、該被挟持部位から分割端の反対側に位置する非分割端に向けて突出する挟持用の突部を備えた請求項１〜５のいずれか一つに記載の田植機の苗載部連結構造。
【請求項７】
前記収納状態を、前記主苗載部の苗載面の上方に前記分割苗載部を重ねた状態とし、
前記ロック機構を前記分割苗載部に装備し、
前記収納状態において前記分割苗載部を支持する支持フレームに、前記分割苗載部の分割端に接合可能で、前記ロック機構による前記分割苗載部の分割端との接合保持が可能な接合部を備えた請求項１〜６のいずれか一つに記載の田植機の苗載部連結構造。
【発明の詳細な説明】
【技術分野】
【０００１】
本発明は、苗載台を、主苗載部と分割苗載部とに左右に分割可能で、前記主苗載部と前記分割苗載部とを左右に連接した作業状態と、前記作業状態よりも前記分割苗載部を主苗載部側に寄せて前記苗載台の左右幅を狭くした収納状態とに切り換え可能な分割収納式に構成した田植機の苗載部連結構造に関する。
【背景技術】
【０００２】
上記のような田植機の苗載部連結構造としては、苗載面側（表面側）の分割面の上部位置と中間位置と下部位置との３箇所、及び、反苗載面側（裏面側）の上部位置と下部位置との２箇所に苗載せ部同士を連結するロック機構を備えたものがある（例えば特許文献１参照）。
【先行技術文献】
【特許文献】
【０００３】
【特許文献１】特開平１０−３３０３３号公報（段落番号００１８、図２、図５〜１４）
【発明の概要】
【発明が解決しようとする課題】
【０００４】
上記の構成では、苗載台を作業状態と収納状態とに切り換えるときに、苗載台の表裏及び上下の各部に備えた合計５箇所のロック機構を個々に操作する必要があることから、苗載台の作業状態と収納状態との切り換え操作が煩わしいものになっており、操作性の面で改善の余地があった。
【０００５】
本発明の目的は、苗載台の作業状態と収納状態との切り換えを簡単に行えるようにすることにある。
【課題を解決するための手段】
【０００６】
本発明の請求項１に係る発明は、苗載台を、主苗載部と分割苗載部とに左右に分割可能で、前記主苗載部と前記分割苗載部とを左右に連接した作業状態と、前記作業状態よりも前記分割苗載部を主苗載部側に寄せて前記苗載台の左右幅を狭くした収納状態とに切り換え可能な分割収納式に構成した田植機の苗載部連結構造において、
前記主苗載部と前記分割苗載部とを左右に連接した状態に固定保持するロック状態と、その固定保持を解除する解除状態とに切り換え可能に構成したロック機構を備え、
前記ロック機構に、前記主苗載部及び前記分割苗載部の所定箇所に作用して前記主苗載部と前記分割苗載部とを左右に連接した状態に固定保持する複数のロック手段と、それら複数のロック手段が同じ状態に連動して切り換わるように前記複数のロック手段を連動連結する連結部材とを備えた。
【０００７】
上記の発明では、苗載台を作業状態と収納状態とに切り換えるときに、一つのロック手段をロック状態又は解除状態に切り換えると、それに連動して、他のロック手段を操作したロック手段と同じ状態に切り換えることができる。
【０００８】
つまり、複数のロック手段を個々に操作する手間を要することなく、全てのロック手段をロック状態又は解除状態に切り換えることができる。そのため、苗載台を作業状態に切り換えた場合に、いくつかのロック手段をロック状態に切り換え忘れた不十分な苗載台の作業状態が得られる虞を回避することができる。又、苗載台を収納状態に切り換える場合に、いくつかのロック手段を解除状態に切り換え忘れることによって苗載台の収納状態への切り換えに手間取る虞を回避することができる。
【０００９】
従って、苗載台の作業状態と収納状態との切り換えを簡単かつ確実に行うことができる。
【００１０】
本発明の請求項２に係る発明は、上記請求項１に記載の発明において、
前記複数のロック手段として、前記主苗載部及び前記分割苗載部の表面側に作用する表面側ロック手段と、前記主苗載部及び前記分割苗載部の裏面側に作用する裏面側ロック手段とを備えた。
【００１１】
上記の発明では、苗載台を作業状態と収納状態とに切り換えるときに、表面側ロック手段と裏面側ロック手段のいずれか一方をロック状態又は解除状態に切り換えると、それに連動して、他方のロック手段を一方のロック手段と同じ状態に切り換えることができる。
【００１２】
従って、表面側ロック手段と裏面側ロック手段とを備える構成において、苗載台の作業状態と収納状態との切り換えを簡単かつ確実に行うことができる。
【００１３】
本発明の請求項３に係る発明は、上記請求項１に記載の発明において、
前記複数のロック手段として、前記主苗載部及び前記分割苗載部の上部側に作用する上部側ロック手段と、前記主苗載部及び前記分割苗載部の下部側に作用する下部側ロック手段とを備えた。
【００１４】
上記の発明では、苗載台を作業状態と収納状態とに切り換えるときに、上部側ロック手段と下部側ロック手段のいずれか一方をロック状態又は解除状態に切り換えると、それに連動して、他方のロック手段を一方のロック手段と同じ状態に切り換えることができる。
【００１５】
従って、上部側ロック手段と下部側ロック手段とを備える構成において、苗載台の作業状態と収納状態との切り換えを簡単かつ確実に行うことができる。
【００１６】
本発明の請求項４に係る発明は、上記請求項１〜３のいずれか一つに記載の発明において、
苗載台側に、前記連結部材の移動範囲内に位置して、前記連結部材の乗り越え移動により、前記連結部材を、前記ロック機構が前記ロック状態となるロック位置と前記解除状態となる解除位置とに切り換え保持する位置決め用の突部を備えた。
【００１７】
上記の発明では、苗載台側に突部を備えるだけの簡単な構成で、連結部材を介してロック機構をロック状態と解除状態とに切り換え保持することができる。
【００１８】
従って、構成の簡素化を図りながら、ロック機構をロック状態又は解除状態に安定した状態で保持することができる。
【００１９】
本発明の請求項５に係る発明は、上記請求項１〜４のいずれか一つに記載の発明において、
前記主苗載部の分割端に位置する苗載面と前記分割苗載部の分割端に位置する苗載面との前記作業状態での離間距離を、前記主苗載部及び前記分割苗載部のそれぞれにおける隣接する苗載面の離間距離と同じに維持するスペーサを備えた。
【００２０】
上記の発明では、苗載台を分割収納式に構成しながらも、苗載台の作業状態においては隣接する苗載面の離間距離を全て同じにすることができる。
【００２１】
従って、苗載台を分割収納式に構成して収納面で有利にしながらも、苗載台を作業状態に切り換えた植え付け作業時には、適正な条間を確保した状態で苗を圃場に植え付けることができる。
【００２２】
本発明の請求項６に係る発明は、上記請求項１〜５のいずれか一つに記載の発明において、
前記ロック手段に断面Ｕ字状の板バネで構成したロック具を採用して、前記ロック機構を、前記主苗載部及び前記分割苗載部の各分割端に備えた被挟持部位を前記ロック具が挟持して接合保持した状態を前記ロック状態とする挟持式に構成し、
前記主苗載部及び前記分割苗載部の前記被挟持部位に、該被挟持部位から分割端の反対側に位置する非分割端に向けて突出する挟持用の突部を備えた。
【００２３】
上記の発明では、ロック機構を構造が簡単な挟持式に構成しながらも、ロック具により主苗載部及び分割苗載部の被挟持部位を挟持した状態では、挟持用の突部によってロック具の挟持幅を拡げて挟持力を高めた状態にすることができる。
【００２４】
従って、ロック機構の簡素化を図りながら、ロック機構として高い保持力を確保することができる。
【００２５】
本発明の請求項７に係る発明は、上記請求項１〜６のいずれか一つに記載の発明において、
前記収納状態を、前記主苗載部の苗載面の上方に前記分割苗載部を重ねた状態とし、
前記ロック機構を前記分割苗載部に装備し、
前記収納状態において前記分割苗載部を支持する支持フレームに、前記分割苗載部の分割端に接合可能で、前記ロック機構による前記分割苗載部の分割端との接合保持が可能な接合部を備えた。
【００２６】
上記の発明では、ロック機構により、苗載台を作業状態だけでなく収納状態においても固定保持することができる。これにより、苗載台を収納状態に固定保持する専用のロック機構を備える場合に比較して、部品点数の削減を図ることができる。
【００２７】
従って、部品点数の削減による構成の簡素化などを図りながら、苗載台を作業状態と収納状態との双方においてロック機構による固定保持を可能にすることができる。
【図面の簡単な説明】
【００２８】
【図１】乗用田植機の全体左側面図である。
【図２】苗植付装置の左側面図である。
【図３】苗植付装置の平面図である。
【図４】苗植付装置の正面図である。
【図５】苗載台を左ストローク端に位置させた状態を示す苗植付装置の分割苗載部側の正面図である。
【図６】分割苗載部の分離状態を示す苗植付装置の分割苗載部側の正面図である。
【図７】苗載台の収納状態を示す苗植付装置の分割苗載部側の正面図である。
【図８】苗載台の収納状態を示す苗植付装置の左側面図である。
【図９】苗載台の作業状態（ａ）と収納状態（ｂ）を示す苗載台の分割苗載部側の横断底面図である。
【図１０】分割苗載部の連接位置での位置決め状態（ａ）と収納位置での位置決め状態（ｂ）を示す苗載台の分割苗載部側の横断底面図である。
【図１１】分割苗載部を連接位置に位置させた状態での連結機構の動作状態（ａ）と分割苗載部を適正揺動操作位置に位置させた状態での連結機構の動作状態（ｂ）を示す連結機構の一部切り欠き正面図である。
【図１２】主苗載部の分割端を示す主苗載部の左側面図である。
【図１３】分割苗載部の分割端を示す主苗載部の右側面図である。
【図１４】第１実施形態で例示した下側のロック機構の構成を示す要部の右側面図である。
【図１５】第１実施形態で例示した上側のロック機構の構成を示す要部の右側面図である。
【図１６】第１実施形態で例示した下側のロック機構の作業状態と収納状態での動作を示す要部の右側面図である。
【図１７】第１実施形態で例示した上側のロック機構の作業状態と収納状態での動作を示す要部の右側面図である。
【図１８】第１実施形態で例示したロック機構のロック解除状態（ａ）とロック状態（ｂ）を示す要部の横断底面図である。
【図１９】クッションゴムの非作用状態（ａ）と作用状態（ｂ）を示す要部の横断底面図である。
【図２０】連結機構の構成を示す要部の一部横断平面図である。
【図２１】上部扁平軸を使用した連結機構の別形態を示す要部の一部横断平面図である。
【図２２】上部扁平軸を使用した連結機構の別形態を示す要部の分解斜視図である。
【図２３】真円軸を使用して保持手段を備えた連結機構の別形態を示す要部の一部横断平面図である。
【図２４】分割苗載部の下端部を収納位置に固定保持するロック機構を備えた別実施形態でのロック機構のロック解除状態（ａ）とロック状態（ｂ）を示す要部の左側面図である。
【図２５】分割苗載部の下端部を収納位置に固定保持するロック機構を備えた別実施形態でのロック機構のロック状態を示す要部の横断底面図である。
【図２６】第２実施形態で例示したロック機構のロック状態（ａ）と解除状態（ｂ）を示す苗載台の分割苗載部側の正面図である。
【図２７】第２実施形態で例示したロック機構のロック状態（ａ）と解除状態（ｂ）を示す要部の正面図である。
【発明を実施するための形態】
【００２９】
〔第１実施形態〕
【００３０】
以下、本発明を実施するための形態の一例として、本発明に係る田植機の苗載部連結構造を、田植機の一例である乗用田植機に適用した第１実施形態を図面に基づいて説明する。
【００３１】
図１に示すように、本実施形態で例示する乗用田植機は、走行車体１の後部にリンク機構２を油圧式の昇降シリンダ３の作動で上下揺動するように連結し、このリンク機構２の後端下部に８条用の苗植付装置４をローリング可能に連結して８条植え用に構成している。
【００３２】
走行車体１は、車体フレーム５の前部に搭載したエンジン６からの動力を、主変速装置として備えた静油圧式無段変速装置（図示せず）、及び、トランスミッションケース（以下、Ｔ／Ｍケースと称する）７に副変速装置として内蔵したギア式変速装置（図示せず）、などを介して左右の前輪８及び左右の後輪９に伝達する４輪駆動型に構成している。エンジン６の後方には、前輪操舵用のステアリングホイール１０及び運転座席１１などを配備して搭乗運転部１２を形成している。走行車体１における前部の左右両横側方箇所には、４枚の予備苗を上下方向に所定間隔をあけて載置する予備苗載装置１３を立設している。
【００３３】
図１〜４に示すように、苗植付装置４は、リンク機構２に連結する動力分配ケース１４、８条分のマット状苗を載置することが可能な状態に８条分の苗載面１５ａを区画形成した苗載台１５、苗載台１５を一定ストロークで左右方向に往復移動させる横送り機構１６、苗載台１５が左右のストローク端に達するごとに苗載台上の各マット状苗を苗載台１５の下端に向けて所定ピッチで縦送りする縦送り機構１７、苗載台１５に載置した各マット状苗の下端から所定量ずつの苗を切り取って圃場の泥土部に植え付けることが可能な状態に左右方向に一定間隔をあけて配置した８基のロータリ式の植付機構１８、及び、走行車体１の走行に伴って圃場を滑走することにより苗植え付け予定箇所などの圃場泥面を整地する５つの整地フロート１９、などを植付フレーム２０に装備して最大８条の苗の植え付けを行えるように構成している。
【００３４】
動力分配ケース１４には、Ｔ／Ｍケース７が出力する植え付け作業用の動力を受け取って、横送り機構１６、縦送り機構１７、及び、各植付機構１８に分配供給する動力分配機構（図示せず）を内蔵している。
【００３５】
植付フレーム２０は、苗植付装置４の前下部に左右向きに配備した角パイプ状の主支持部材２１、苗載台１５の上部側を左右方向に往復移動可能な状態で支持するように主支持部材２１に前傾姿勢で立設した門型の苗載台支持フレーム２２、及び、左右方向に一定間隔をあけた状態で主支持部材２１から後方に向けて延出した支持部材兼用の４つの植付伝動ケース２３、などから構成している。
【００３６】
図１〜８に示すように、苗載台１５と植付フレーム２０との間には、苗植え付け作業時に、苗載面１５ａと交差する方向への苗載台１５の変位を阻止した状態で苗載台１５を左右方向に移動案内する上側ガイド機構２４と下側ガイド機構２５とを備えている。
【００３７】
上側ガイド機構２４は、苗載台１５における背面の上部側に苗載台１５の左右両端部にわたる左右向き姿勢で固定した断面形状が下向きＵ字状の上側摺接部材２６、苗載台支持フレーム２２の上端部に左右方向に所定間隔をあけた状態で苗載台１５の下部側部分に沿う前傾姿勢で配備した６本の支軸２７、及び、各支軸２７の上端部に相対回転可能に外嵌装備した６個のガイドローラ２８、などを備えている。そして、上側摺接部材２６の左右両端にわたる状態で上側摺接部材２６に備えた係合溝２６ａに各ガイドローラ２８が係入するように各ガイドローラ２８に対して上側摺接部材２６を上方から外嵌することにより、各ガイドローラ２８が上側摺接部材２６の苗載面１５ａと交差する方向への変位を阻止しながら左右方向への移動を許容する状態が得られるようにしている。これにより、上側ガイド機構２４を、苗植え付け作業時に苗載面１５ａと交差する方向への苗載台１５の変位を阻止しながら苗載台１５を左右方向に移動案内する状態に構成している。
【００３８】
下側ガイド機構２５は、苗載台１５における背面の下部側に苗載台１５の左右両端部にわたる左右向き姿勢で固定したアルミ押出材などからなる下側摺接部材２９、及び、下側摺接部材２９の下方からの受け止め支持が可能な左右向き姿勢で所定の植付伝動ケース２３に支持させたアルミ押出材などからなる摺動レール３０、などを備えている。摺動レール３０は、苗載台１５に載置したマット状苗の下端を受け止め支持し、かつ、下側摺接部材２９を受け止め支持する。又、左右方向に植付機構１８の配置間隔と同じ一定間隔をあけた所定位置に、各植付機構１８による苗の取り出しを可能にする８つの苗取出口３０ｃを形成している。下側摺接部材２９は、摺動レール３０によって苗縦送り方向の荷重と苗載面１５ａと交差する方向の荷重とが受け止められた状態で左右方向に摺動するように摺動レール３０に載置している。又、下側摺接部材２９には、摺動レール３０との当接により、下側摺接部材２９の苗載面１５ａと交差する方向での摺動レール３０からの浮き上がりを防止する浮上り防止板３１を連結装備している。これにより、下側ガイド機構２５を、苗植え付け作業時に苗載面１５ａと交差する方向への苗載台１５の変位を阻止しながら苗載台１５を左右方向に円滑に移動案内する状態に構成している。
【００３９】
図１〜１０に示すように、苗載台１５は、６条分の苗載面１５ａを区画形成した右側の主苗載部１５Ａと、２条分の苗載面１５ａを区画形成した左側の分割苗載部１５Ｂとに左右に分割可能な２分割構造に構成している。そして、主苗載部１５Ａと分割苗載部１５Ｂとを、主苗載部１５Ａに対する分割苗載部１５Ｂの左右方向への摺動変位と上下方向への揺動変位とを許容する状態に上下一対の連結機構３４を介して連結することにより、主苗載部１５Ａと分割苗載部１５Ｂとを左右に連接した作業状態と、作業状態よりも苗載台１５の左右幅を狭くした収納状態とに切り換え可能な分割収納式に構成している。
【００４０】
図２、図４〜１１及び図２０に示すように、各連結機構３４は、左右向き姿勢で主苗載部１５Ａの左端部から左外方に延出する状態に主苗載部１５Ａに固定した断面形状がコの字状の固定部材３５と、固定部材３５に左右方向への摺動が可能は状態で内嵌する左右向き姿勢で断面形状がコの字状の可動部材３６とを備えている。各固定部材３５は、その延出端部である左端部に苗載台１５の下部側部分に沿う前傾姿勢の支軸３７を装備している。各可動部材３６は、固定部材３５との連結側である右側部分に左右向きの長孔３６ａを形成している。又、その左端部に、苗載台１５の下部側部分に沿う前傾姿勢の支軸３８を介して分割苗載部１５Ｂを枢支連結している。そして、固定部材３５に装備する支軸３７を、可動部材３６に形成した上下の長孔３６ａに挿通して固定部材３５に固定することにより、固定部材３５に対する可動部材３６の左右摺動と支軸３７を支点にした起伏揺動とが可能な状態に固定部材３５と可動部材３６とを連結している。
【００４１】
これにより、各連結機構３４は、その固定部材３５に対する可動部材３６の左右摺動によって分割苗載部１５Ｂを左右方向に摺動変位させ、かつ、固定部材３５に対する可動部材３６の支軸３７を支点にした起伏揺動によって分割苗載部１５Ｂを上下方向に揺動変位させるように構成している。そして、この構成から、苗載台１５の収納状態では、分割苗載部１５Ｂが主苗載部１５Ａと平行な姿勢で主苗載部１５Ａの苗載面１５ａの上方に重なるように主苗載部側に寄せ上げられて所定の収納位置に位置する状態となり、これにより、作業状態よりも苗載台１５の左右幅を狭くすることができる。
【００４２】
各連結機構３４には、分割苗載部１５Ｂを所定の収納位置に位置させるための分割苗載部１５Ｂの適正揺動支点位置Ｐ１と適正揺動操作位置Ｐ２とを設定している。適正揺動支点位置Ｐ１は、主苗載部１５Ａの分割端よりも機体横外側の位置に設定してあり、この位置に連結機構３４の支軸３７を配備している。適正揺動操作位置Ｐ２は、支軸３７との当接により可動部材３６の左外方への摺動を制限する当接部ａである可動部材３６の各長孔３６ａの右端部ａが支軸３７に当接したときに得られる分割苗載部１５Ｂの左摺動限界位置に設定している。
【００４３】
つまり、主苗載部１５Ａに連接する分割苗載部１５Ｂを、可動部材３６の各長孔３６ａの右端部ａが支軸３７に当接する適正揺動操作位置Ｐ２まで左外方に摺動変位させた後、適正揺動支点位置Ｐ１に位置する支軸３７を支点にして上方に揺動変位させることにより、分割苗載部１５Ｂを所定の収納位置に位置させることができるように構成している。
【００４４】
図９、図１０及び図２０に示すように、各連結機構３４において、固定部材３５に装備する支軸３７には扁平軸を採用している。そして、その長径方向が可動部材３６の摺動方向に沿う姿勢となる状態で固定部材３５に固定している。可動部材３６における上下の長孔３６ａは、それらの右端部ａを除いた略全長にわたる領域での口径が支軸３７の短径方向の長さに相当し、それらの右端部ａでの口径が支軸３７の長径方向の長さに相当する状態となる形状に形成している。これにより、可動部材３６は、その左右摺動によって各長孔３６ａの右端部ａが支軸３７に当接するまでの間は、支軸３７及び可動部材３６の各長孔３６ａによる規制で起伏揺動が阻止され、各長孔３６ａの右端部ａが支軸３７に当接するのに伴って、支軸３７及び可動部材３６の各長孔３６ａによる規制が解除されて起伏揺動が許容されるようになっている。
【００４５】
つまり、各連結機構３４には、各可動部材３６に形成した上下の長孔３６ａ、及び、各固定部材３５に装備した扁平の支軸３７により、分割苗載部１５Ｂが主苗載部１５Ａに連接する連接位置Ｐ０から適正揺動操作位置Ｐ２に到達するまでの間における分割苗載部１５Ｂの揺動変位を阻止するように構成した揺動規制手段３９を備えている。
【００４６】
ちなみに、図２１及び図２２に示すように、連結機構３４としては、固定部材３５に装備する支軸３７に上部扁平軸を採用し、かつ、その上部の長径方向が可動部材３６の摺動方向に沿う姿勢となる状態で固定部材３５に固定し、又、可動部材３６における上側の長孔３６ａを、その右端部ａを除いた略全長にわたる領域での口径が支軸３７の短径方向の長さに相当し、その右端部ａでの口径が支軸３７の長径方向の長さに相当する状態となる形状に形成し、更に、可動部材３６における下側の長孔３６ａを、上部扁平軸３７の真円部に対応するように形成することにより、可動部材３６が、その左右摺動によって各長孔３６ａの右端部ａが支軸３７に当接するまでの間は、支軸３７及び可動部材３６の上側の長孔３６ａによる規制で起伏揺動が阻止され、各長孔３６ａの右端部ａが支軸３７に当接するのに伴って、支軸３７及び可動部材３６の上側の長孔３６ａによる規制が解除されて起伏揺動が許容されるように構成したものであってもよい。
【００４７】
又、図２３に示すように、連結機構３４としては、固定部材３５に装備する支軸３７に真円軸を採用し、かつ、可動部材３６における上下の各長孔３６ａを、それらの全長にわたる領域での口径が支軸３７の直径に相当する状態となる形状に形成することにより、可動部材３６の左右摺動によって各長孔３６ａの右端部ａが支軸３７に当接するまでの間においても、可動部材３６の起伏揺動を許容するように構成したものであってもよい。そして、この構成においては、分割苗載部１５Ｂが適正揺動操作位置Ｐ２に到達した際に、連結機構３４の固定部材３５に装備する支軸３７に作用して、支軸３７を可動部材３６における上下の長孔３６ａの右端部ａに保持することにより、分割苗載部１５Ｂの揺動操作中に分割苗載部１５Ｂが不測に摺動変位することを抑制する板バネからなる保持手段９５を可動部材３６に装備するようにしてもよい。
【００４８】
図４〜１０に示すように、苗載台１５の作業状態と収納状態との切り換えは、苗載台１５を左側のストローク端に位置させた状態で行い、収納状態では、分割苗載部１５Ｂの分割端に位置する苗載面１５ａが主苗載部１５Ａの分割端に位置する苗載面１５ａの上方に重なる状態で位置するように構成している。そのため、収納状態では、苗載台１５の左右幅を、作業状態よりも約１面分の苗載面１５ａの左右幅を減少させた状態にすることができる。
【００４９】
図１〜８及び図１１に示すように、苗載台１５に装備する上側ガイド機構２４の上側摺接部材２６及び下側ガイド機構２５の下側摺接部材２９は、苗載台１５と同様に、主苗載部１５Ａに装備する主被支持部２６Ａ，２９Ａと分割苗載部１５Ｂに装備する分割被支持部２６Ｂ，２９Ｂとに分割可能な２分割構造に構成している。
【００５０】
そして、前述したように、苗載台１５の作業状態と収納状態との切り換えは、苗載台１５を左側のストローク端に位置させた状態で行い、又、分割苗載部１５Ｂの揺動変位は、分割苗載部１５Ｂを適正揺動操作位置Ｐ２に摺動変位させた後に行うように構成している。
【００５１】
そのため、上側摺接部材２６の分割被支持部２６Ｂは、苗載台１５を左側のストローク端に位置させて分割苗載部１５Ｂを適正揺動操作位置Ｐ２に摺動変位させた状態において、苗載面１５ａと交差する方向でガイドローラ２８と対向する箇所に、ガイドローラ２８の苗載面１５ａと交差する方向への相対変位を許容する切欠部２６ｂを形成している。
【００５２】
又、各連結機構３４の固定部材３５及び可動部材３６には、可動部材３６の固定部材３５から離れる左方への摺動に伴って、可動部材３６を苗縦送り方向と反対の方向に持ち上げる状態に摺動案内することにより、前述した浮上り防止板３１を摺動レール３０の第２支持部３０ｂから苗縦送り方向と反対の方向に離れさせて、浮上り防止板３１による下側摺接部材２９の苗載面１５ａと交差する方向での摺動レール３０からの浮き上がり防止を解除する乗り上がり傾斜面３５Ｃ，３６Ｃと、その浮き上がり防止の解除状態を維持する乗り上げ平坦面３５Ｄ，３６Ｄとを備えている。
【００５３】
つまり、上側摺接部材２６の分割被支持部２６Ｂに形成した切欠部２６ｂ、及び、各連結機構３４の固定部材３５及び可動部材３６に備えた乗り上げ平坦面３５Ｄ，３６Ｄにより、苗載台１５の作業状態と収納状態との切り換え時に分割苗載部１５Ｂの苗載面１５ａと交差する方向への変位を許容する変位許容部４０を構成している。又、各連結機構３４の乗り上がり傾斜面３５Ｃ，３６Ｃと乗り上げ平坦面３５Ｄ，３６Ｄにより、分割苗載部１５Ｂの機体横外方への摺動変位に伴って、苗載台１５を左右方向に移動可能に支持する摺動レール３０から離れる方向に分割苗載部１５Ｂを変位させる変位操作手段６０を構成している。
【００５４】
図２、図３、図５〜１０及び図１２〜１８に示すように、主苗載部１５Ａの分割端には、その上部側に位置する第１接続部材４１と下部側に位置する第２接続部材４２とを備えている。分割苗載部１５Ｂの分割端には、その上部側に位置する第１接続部材４５と下部側に位置する第２接続部材４６とを備えている。
【００５５】
主苗載部１５Ａの第１接続部材４１には１つの位置決め孔４１ａを、第２接続部材４２には２つの位置決め孔４２ａ，４２ｂを形成している。分割苗載部１５Ｂの第１接続部材４５には、右方に突出する１つの位置決めピン４５ａを、第２接続部材４６には、右方に突出する２つの位置決めピン４６ａ，４６ｂを備えている。そして、主苗載部１５Ａの各位置決め孔４１ａ，４２ａ，４２ｂに分割苗載部１５Ｂの対応する位置決めピン４５ａ，４６ａ，４６ｂを挿通することにより、分割苗載部１５Ｂを、主苗載部１５Ａと左右に連接する状態となる所定の作業位置（連接位置Ｐ０）に位置決めすることができる。
【００５６】
又、分割苗載部１５Ｂの各接続部材４５，４６には、主苗載部１５Ａの分割端に位置する苗載面１５ａと分割苗載部１５Ｂの分割端に位置する苗載面１５ａとの作業状態での離間距離を、主苗載部１５Ａ及び分割苗載部１５Ｂのそれぞれにおける隣接する苗載面１５ａの離間距離と同じに維持する上下一対のスペーサ４５Ａ，４５Ｂ，４６Ａ，４６Ｂを備えている。
【００５７】
苗載台１５には、その作業状態において主苗載部１５Ａの第１接続部材４１と分割苗載部１５Ｂの第１接続部材４５とを連結する第１ロック機構５１、及び、主苗載部１５Ａの第２接続部材４２と分割苗載部１５Ｂの第２接続部材４６とを連結する第２ロック機構５２を備えている。
【００５８】
各ロック機構５１，５２は、主苗載部１５Ａ及び分割苗載部１５Ｂの表面側に作用して主苗載部１５Ａと分割苗載部１５Ｂとを左右に連接した状態に固定保持する表面側ロック手段５３，５４、主苗載部１５Ａ及び分割苗載部１５Ｂの裏面側に作用して主苗載部１５Ａと分割苗載部１５Ｂとを左右に連接した状態に固定保持する裏面側ロック手段５５，５６、及び、それらの対応するロック手段５３〜５６が同じ状態に連動して切り換わるように対応するロック手段５３〜５６を連動連結する連結部材５７，５８を備えている。
【００５９】
各連結部材５７，５８は、各スペーサ４５Ａ，４５Ｂ，４６Ａ，４６Ｂにより確保された隙間を通って表面側ロック手段５３，５４と裏面側ロック手段５５，５６とにわたるようにしている。
【００６０】
各ロック機構５１，５２に備える表裏一対のロック手段５３〜５６及び連結部材５７，５８は、板バネにより一体形成してあり、各ロック手段５３〜５６は、断面Ｕ字状のロック具に屈曲形成している。各ロック機構５１，５２は、分割苗載部１５Ｂの対応する接続部材４５，４６に揺動操作可能に備えている。
【００６１】
第１ロック機構５１の表面側ロック手段５３は、主苗載部１５Ａにおける第１接続部材４１の表面側に備えた被挟持部位４１Ａと、分割苗載部１５Ｂにおける第１接続部材４５の表面側に備えた被挟持部位としてのスペーサ４５Ａとを挟持して、主苗載部１５Ａの第１接続部材４１と分割苗載部１５Ｂの第１接続部材４５との表面側を接合保持した状態をロック状態とする挟持式に構成している。そして、表面側ロック手段５３には操作部５３Ａを備えている。
【００６２】
第１ロック機構５１の裏面側ロック手段５５は、主苗載部１５Ａにおける第１接続部材４１の裏面側に備えた被挟持部位４１Ｂと、分割苗載部１５Ｂにおける第１接続部材４５の裏面側に備えた被挟持部位としてのスペーサ４５Ｂとを挟持して、主苗載部１５Ａの第１接続部材４１と分割苗載部１５Ｂの第１接続部材４５との裏面側を接合保持した状態をロック状態とする挟持式に構成している。
【００６３】
そして、第１ロック機構５１の表面側ロック手段５３及び裏面側ロック手段５５は、表面側ロック手段５３のロック位置への揺動操作に伴って裏面側ロック手段５５がロック位置に揺動変位し、又、表面側ロック手段５３のロック解除位置への揺動操作に伴って裏面側ロック手段５５がロック解除位置に揺動変位するように構成している。
【００６４】
第２ロック機構５２の表面側ロック手段５４は、主苗載部１５Ａにおける第２接続部材４２の表面側に備えた被挟持部位４２Ａと、分割苗載部１５Ｂにおける第２接続部材４６の表面側に備えた被挟持部位としてのスペーサ４６Ａとを挟持して、主苗載部１５Ａの第２接続部材４２と分割苗載部１５Ｂの第２接続部材４６との表面側を接合保持した状態をロック状態とする挟持式に構成している。そして、表面側ロック手段５４には操作部５４Ａを備えている。
【００６５】
第２ロック機構５２の裏面側ロック手段５６は、主苗載部１５Ａにおける第２接続部材４２の裏面側に備えた被挟持部位４２Ｂと、分割苗載部１５Ｂにおける第２接続部材４６の裏面側に備えた被挟持部位としてのスペーサ４６Ｂとを挟持して、主苗載部１５Ａの第２接続部材４２と分割苗載部１５Ｂの第２接続部材４６との裏面側を接合保持した状態をロック状態とする挟持式に構成している。
【００６６】
そして、第２ロック機構５２の表面側ロック手段５４及び裏面側ロック手段５６は、表面側ロック手段５４のロック位置への揺動操作に伴って裏面側ロック手段５６がロック位置に揺動変位し、又、表面側ロック手段５４のロック解除位置への揺動操作に伴って裏面側ロック手段５６がロック解除位置に揺動変位するように構成している。
【００６７】
主苗載部１５Ａ及び分割苗載部１５Ｂの各被挟持部位４１Ａ，４１Ｂ，４２Ａ，４２Ｂ，４５Ａ，４５Ｂ，４６Ａ，４６Ｂには、各被挟持部位４１Ａ，４１Ｂ，４２Ａ，４２Ｂ，４５Ａ，４５Ｂ，４６Ａ，４６Ｂから分割端の反対側の端部に向けて突出する挟持用の突部４１ｃ、４２ｃ、４５ｃ、４６ｃを備えている。
【００６８】
これにより、各ロック手段５３〜５６により主苗載部１５Ａ及び分割苗載部１５Ｂの各被挟持部位４１Ａ，４１Ｂ，４２Ａ，４２Ｂ，４５Ａ，４５Ｂ，４６Ａ，４６Ｂを挟持した状態では、対応する挟持用の突部４１ｃ、４２ｃ、４５ｃ、４６ｃによって各ロック手段５３〜５６の挟持幅を拡げて挟持力を高めた状態にすることができ、結果、ロック機構５１，５２として高い保持力を確保することができる。
【００６９】
分割苗載部１５Ｂの各接続部材４５，４６には、対応する連結部材５７，５８の移動範囲内に位置して、対応する連結部材５７，５８の乗り越え移動により、連結部材５７，５８を、対応するロック機構５１，５２がロック状態となるロック位置と解除状態となる解除位置とに切り換え保持する位置決め用の突部４５ｄ、４６ｄを備えている。
【００７０】
これにより、各連結部材５７，５８を介して対応するロック機構５１，５２をロック状態又は解除状態に安定した状態で保持することができる。
【００７１】
主苗載部１５Ａにおける表面側の左端部には、分割苗載部１５Ｂの上部側を所定の収納位置にて受け止め支持する上側支持フレーム６１と、分割苗載部１５Ｂの下部側を所定の収納位置にて受け止め支持する下側支持フレーム６２とを立設している。
【００７２】
各支持フレーム６１，６２には、分割苗載部１５Ｂの分割端に接合可能で、各ロック機構５１，５２による分割苗載部１５Ｂの分割端との接合保持が可能な接合部６１Ａ，６２Ａを備えている。
【００７３】
そして、上側支持フレーム６１の接合部６１Ａには、苗載台１５の収納状態において、分割苗載部１５Ｂの第１接続部材４５に備えた位置決めピン４５ａが挿通される位置決め穴６１ａと、分割苗載部１５Ｂにおける第１接続部材４５の表面側に備えたスペーサ４５Ａに接合して、そのスペーサ４５Ａとの第１ロック機構５１の表面側ロック手段５３による接合保持が可能になる被挟持部位６１ｂとを備えている。
【００７４】
又、下側支持フレーム６２の接合部６２Ａには、苗載台１５の収納状態において、分割苗載部１５Ｂの第２接続部材４６に備えた上側の位置決めピン４６ａが挿通される位置決め穴６２ａと、分割苗載部１５Ｂにおける第２接続部材４６の表面側に備えたスペーサ４６Ａに接合して、そのスペーサ４６Ａとの第２ロック機構５２の表面側ロック手段５４による接合保持が可能になる被挟持部位６２ｂとを備えている。この被挟持部位６２ｂには、被挟持部位６２ｂから分割端の反対側の端部に向けて突出する挟持用の突部６２ｃを備えている。
【００７５】
ちなみに、図２４及び図２５に示すように、下側支持フレーム６２においては、所定の収納位置に位置させた分割苗載部１５Ｂの下端部を下側支持フレーム６２に固定保持するロック機構６３を備えるようにしてもよい。このロック機構６３は、分割苗載部１５Ｂを所定の収納位置に係合保持するロック位置と、分割苗載部１５Ｂの所定の収納位置からの変位を許容するロック解除位置とにわたって揺動操作可能な門型の係合部材６４、係合部材６４との当接により係合部材６４の揺動範囲をロック位置とロック解除位置との間に制限するコの字状の当接部材６５、及び、係合部材６４のロック位置とロック解除位置との切り換え保持が可能となる状態に係合部材６４と当接部材６５とに掛け渡したトグルバネ６６、などにより構成している。そして、この構成では、当接部材６５がバネ受け部材を兼ねることにより、部品点数の削減及び構成の簡素化などを図ることができる。
【００７６】
図２、図８、図１３及び図１９に示すように、分割苗載部１５Ｂの裏面側に備える縦送り機構用の軸支部材７０には支持片７０Ａを屈曲形成している。そして、この支持片７０Ａには、分割苗載部１５Ｂが所定の収納位置に位置する状態において、下側支持フレーム６２に備えた受止部６２Ｂに圧接して分割苗載部１５Ｂの振動を抑制するクッションゴム７１を嵌め込み装着している。つまり、既存の部品を利用した防振構造により、部品点数の削減及び構成の簡素化などを図りながら、分割苗載部１５Ｂを所定の収納位置に振動を抑制した安定状態で位置させることができる。
【００７７】
ちなみに、この苗載台１５の分割構造において、苗載台１５の収納状態は、主苗載台１５Ａに分割苗載台１５Ｂを上側支持フレーム６１と下側支持フレーム６２とを介して載置固定するだけであることから、苗載台１５の収納状態での横送り機構１６による横送りが許容されている。そのため、誤操作などによって苗載台１５の収納状態での横送り機構１６による横送りが行われたとしても、その横送りによる苗載台１５などの破損を回避することができる。
【００７８】
図３〜７に示すように、下側ガイド機構２５の摺動レール３０は、苗載台１５の収納状態への切り換えによって狭くなる苗載台１５の左右幅に応じて、摺動レール３０の両端部を機体内側に折り畳み収納可能に構成している。具体的には、摺動レール３０は、収納状態に切り換えた苗載台１５の左右幅と略同じ長さで左右中央に位置する固定部３０Ａと左右両端の可動部３０Ｂとを備えている。そして、固定部３０Ａの左右両端部に左右の可動部３０Ｂを、固定部３０Ａに対する各可動部３０Ｂの左右方向への摺動変位と上下方向への揺動変位とを許容する状態に接続機構７６を介して接続することにより、固定部３０Ａと左右の可動部３０Ｂとを左右に連接した作業状態と、苗載台１５と同様に作業状態よりも左右幅を狭くした収納状態とに切り換え可能に構成している。
【００７９】
〔第２実施形態〕
【００８０】
以下、本発明を実施するための形態の一例として、本発明に係る田植機の苗載部連結構造を、田植機の一例である乗用田植機に適用した第２実施形態を図面に基づいて説明する。
【００８１】
尚、この第２実施形態は、上記の第１実施形態とロック機構の構成が異なるだけであり、それ以外の構成は第１実施形態と同じであることから、以下にはロック機構の構成についてのみ説明する。
【００８２】
図２６及び図２７に示すように、このロック機構８０は、主苗載部１５Ａ及び分割苗載部１５Ｂの上部側に作用する上部側ロック手段８１、主苗載部１５Ａ及び分割苗載部１５Ｂの下部側に作用する下部側ロック手段８２、及び、それらのロック手段８１，８２が同じ状態に連動して切り換わるように上下のロック手段８１，８２を連動連結する連結部材８３を備えて、主苗載部１５Ａと分割苗載部１５Ｂとを左右に連接した状態に固定保持するロック状態と、その固定保持を解除する解除状態とに切り換え可能に構成している。そして、分割苗載部１５Ｂに装備している。
【００８３】
上下のロック手段８１，８２は、上下対称構造であり、断面形状がコの字状の支持板８４に、苗載面１５ａと交差する姿勢の第１支軸８５を支点にして揺動するフック部材８６、第１支軸８５に外嵌した第１捻りバネ８７、苗載面１５ａと交差する姿勢の第２支軸８８を支点にして揺動する保持部材８９、第２支軸８８に外嵌した第２捻りバネ９０、及び、保持部材８９と一体揺動する揺動アーム９１、などを備えている。
【００８４】
各支持板８４には、主苗載部１５Ａの分割端における上下のロック手段８１，８２との対応箇所に配備した上下の係合ピン９２の係入を許容する凹部８４ａ、対応するフック部材８６を受け止める第１受止部８４ｂ、及び、対応する保持部材８６を受け止める第２受止部８４ｃ、などを形成している。
【００８５】
各フック部材８６は、係合ピン９２に係合する係合姿勢と、係合ピン９２との係合を解除する解除姿勢とにわたって揺動変位する。又、第１捻りバネ８７により解除姿勢に復帰付勢している。各フック部材８６には、解除姿勢において支持板８４の第１受止部８４ｂに当接する当接部８６ａ、解除姿勢において保持部材８９を受け止める受止部８６ｂ、支持板８４の凹部８４ａに係入する係合ピン９２による押圧を受ける被押圧部８６ｃ、支持板８４の凹部８４ａに係入した係合ピン９２に係合する係合部８６ｄ、及び、係合姿勢において保持部材８９と接合する接合部８６ｅ、などを形成している。
【００８６】
各保持部材８９は、フック部材８６を係合姿勢に保持する保持姿勢と、フック部材８６の係合姿勢での保持を解除する解除姿勢とにわたって揺動変位する。又、第２捻りバネ９０により保持姿勢に復帰付勢している。各保持部材８９には、解除姿勢において支持板８４の第２受止部８４ｃに当接する第１当接部８９ａ、解除姿勢においてフック部材８６の受止部８６ｂに当接する第２当接部８９ｂ、保持姿勢においてフック部材８６の接合部８６ｅに接合する接合部８９ｃ、などを形成している。
【００８７】
各揺動アーム９１は、それらの遊端部に連係ピン９１ａを立設してある。一方、連結部材８３は、その両端部に各揺動アーム９１の連係ピン９１ａが挿通される長孔８３ａを形成してある。そして、各揺動アーム９１と連結部材８３とは、それらの長孔８３ａ及び連係ピン９１ａを介して、各揺動アーム９１と連結部材８３とが上下の第２支軸８８の間において分割苗載部１５Ｂの分割端に沿って一直線上に並んだ状態と、各揺動アーム９１と連結部材８３とが上下の第２支軸８８の間から分割苗載部側である機体左側に変位した状態とに切り換え可能に連係している。各揺動アーム９１は、連結部材８３と一直線上に並ぶ状態では、揺動アーム９１と一体揺動する保持部材８９が保持姿勢となるように保持部材８９に対する取り付け姿勢を設定している。
【００８８】
上記の構成から、ロック機構８０の各ロック手段８１，８２は、苗載台１５の作業状態では、支持板８４の凹部８４ａに係入した主苗載部１５Ａの係合ピン９２によりフック部材８６の被押圧部８６ｃが押圧されていることにより、フック部材８６が、第１捻りバネ８７の作用に抗して、フック部材８６の係合部８６ｄが主苗載部１５Ａの係合ピン９２に係合する係合姿勢になっている。又、これに伴って、保持部材８９が第２捻りバネ９０の作用によって保持姿勢になっており、これにより、保持部材８９の接合部８９ｃとフック部材８６の接合部８６ｅとが接合する。そして、この接合状態では、第１捻りバネ８７によって解除姿勢に復帰付勢されているフック部材８６と、フック部材８６の復帰揺動方向下手側に位置する第２支軸８８との間に、保持部材８９が第１捻りバネ８７の作用によって突っ張り姿勢で入り込むようになっており、これにより、この接合状態を維持することができる。その結果、各ロック手段８１，８２のフック部材８６を係合姿勢に保持することができ、ロック機構８０をロック状態に維持することができる。
【００８９】
ところで、ロック機構８０のロック状態では、各ロック手段８１，８２の保持部材８９が保持姿勢であることから、連結部材８３は、上下の第２支軸８８の間において各ロック手段８１，８２の揺動アーム９１と一直線上に並んだ状態となっている。従って、連結部材８３においては、上下の第２支軸８８の間において各ロック手段８１，８２の揺動アーム９１と一直線上に並んだ状態となる位置がロック位置となる。
【００９０】
ロック機構８０のロック状態において、連結部材８３をロック位置から機体左側に変位させると、各ロック手段８１，８２においては、それに連動して、第２捻りバネ９０の作用に抗して揺動アーム９１が機体左側に揺動変位するとともに保持部材８９が保持姿勢から解除姿勢に切り換わる。又、これに伴って、フック部材８６が第１捻りバネ８７の作用によって係合姿勢から解除姿勢に復帰揺動する。その結果、各ロック手段８１，８２のフック部材８６を解除姿勢に保持することができ、ロック機構８０を解除状態に維持することができる。
【００９１】
この解除状態において、連結部材８３を更に機体左側に変位させると、各ロック手段８１，８２において、支持板８４の第２受止部８４ｃが保持部材８９の第１当接部８９ａを受け止めて支持板８４に対する保持部材８９の揺動を阻止することにより、各ロック手段８１，８２を装備する分割苗載部１５Ｂが連結部材８３とともに機体左側に摺動変位するようになる。
【００９２】
つまり、苗載台１５を作業状態から収納状態に切り換える場合には、連結部材８３を把持して機体左側に向けて操作することにより、ロック機構８０のロック状態から解除状態への切り換え操作と、分割苗載部１５Ｂの連接位置Ｐ０から適正揺動操作位置Ｐ２への摺動操作とを、一連の操作で円滑に行うことができる。
【００９３】
ところで、ロック機構８０の解除状態では、支持板８４の第１受止部８４ｂが第１捻りバネ８７により解除姿勢に復帰付勢されたフック部材８６の当接部８６ａを受け止めることにより、フック部材８６を解除姿勢に保持するようにしている。又、解除姿勢に保持されたフック部材８６の受止部８６ｂが第２捻りバネ９０により保持姿勢に復帰付勢されている保持部材８９の第２当接部８９ｂを受け止めることにより、保持部材８９を解除姿勢に保持するようにしている。そのため、連結部材８３は、ロック位置から機体左側に変位させた状態に保持されることになる。従って、連結部材８３においては、連結部材８３をロック位置から機体左側に変位させた状態で保持される位置が解除位置となる。
【００９４】
ロック機構８０の解除状態において、連結部材８３を解除位置から機体右側のロック位置に向けて変位させるようにすると、連結部材８３と連動する保持部材８９の第２当接部８９ｂを解除姿勢に保持されたフック部材８６の受止部８６ｂが受け止めて支持板８４に対する保持部材８９の揺動を阻止することにより、各ロック手段８１，８２を装備する分割苗載部１５Ｂが連結部材８３とともに機体右側に摺動変位するようになる。そして、この摺動変位に伴って、主苗載部１５Ａの係合ピン９２が支持板８４の凹部８４ａに係入してフック部材８６の被押圧部８６ｃを押圧すると、フック部材８６が第１捻りバネ８７の作用に抗して解除姿勢から係合姿勢に向けて揺動変位し、分割苗載部１５Ｂの連接位置Ｐ０への到達に伴って、フック部材８６が係合姿勢に切り換わってフック部材８６の係合部８６ｄが主苗載部１５Ａの係合ピン９２に係合するとともに、保持部材８９が解除姿勢から保持姿勢に切り換わってフック部材８６を係合姿勢に保持する。その結果、ロック機構８０をロック状態に維持することができる。
【００９５】
つまり、苗載台１５を収納状態から作業状態に切り換える場合には、分割苗載部１５Ｂを収納位置から適正揺動操作位置Ｐ２に揺動変位させた後、連結部材８３を把持して機体右側（主苗載部側）に向けて操作することにより、分割苗載部１５Ｂの適正揺動操作位置Ｐ２から連接位置Ｐ０への摺動操作と、ロック機構８０の解除状態からロック状態への切り換え操作とを、一連の操作で円滑に行うことができる。
【００９６】
尚、図示は省略するが、この第２実施形態においても、分割苗載部１５Ｂを所定の収納位置にて受け止め支持する上側支持フレーム６１と下側支持フレーム６２とのそれぞれに、分割苗載部１５Ｂの分割端に接合可能で、ロック機構８０による分割苗載部１５Ｂの分割端との接合保持が可能な接合部６１Ａ，６２Ａを備えるようにしてもよい。
【００９７】
この場合、各支持フレーム６１，６２の接合部６１Ａ，６２Ａにおける上下のロック手段８１，８２との対応箇所に係合ピン９２を配備することになる。
【００９８】
そして、上記のように構成することにより、苗載台１５を作業状態から収納状態に切り換える場合には、分割苗載部１５Ｂを連接位置Ｐ０から適正揺動操作位置Ｐ２に揺動変位させた後、連結部材８３などを把持して連結部材８３を機体右側に向けて操作しながら分割苗載部１５Ｂを適正揺動操作位置Ｐ２から収納位置に揺動変位させることにより、分割苗載部１５Ｂの適正揺動操作位置Ｐ２から収納位置への揺動操作と、ロック機構８０の解除状態からロック状態への切り換え操作とを、一連の操作で円滑に行うことができる。
【００９９】
又、苗載台１５を収納状態から作業状態に切り換える場合には、連結部材８３などを把持して連結部材８３を機体左側に向けて操作しながら分割苗載部１５Ｂを収納位置から適正揺動操作位置Ｐ２に揺動変位させることにより、ロック機構８０のロック状態から解除状態への切り換え操作と、分割苗載部１５Ｂの収納位置から適正揺動操作位置Ｐ２への揺動操作とを、一連の操作で円滑に行うことができる。
【０１００】
〔別実施形態〕
【０１０１】
〔１〕苗載台１５としては、３分割に分割可能に構成したものであってもよい。又、主苗載部１５Ａと分割苗載部１５Ｂとを完全に切り離した状態で作業状態と収納状態との切り換えを行うように構成したものであってもよい。更に、主苗載部１５Ａに対する分割苗載部１５Ｂの揺動変位のみで作業状態と収納状態との切り換えを行うように構成したものであってもよい。
【０１０２】
〔２〕ロック機構５１，５２としては、上部側の表面側ロック手段５３と下部側の表面側ロック手段５４とを連結部材５７により連動連結し、上部側の裏面側ロック手段５５と下部側の裏面側ロック手段５６とを連結部材５８により連動連結したものであってもよい。上部側の表面側ロック手段５３と下部側の表面側ロック手段５４と上部側の裏面側ロック手段５５と下部側の裏面側ロック手段５６との全てを連結部材５７，５８により連動連結したものであってもよい。
【産業上の利用可能性】
【０１０３】
本発明に係る田植機の苗載部連結構造は、乗用田植機や歩行田植機などに適用することができる。
【符号の説明】
【０１０４】
１５    苗載台
１５Ａ  主苗載部
１５Ｂ  分割苗載部
１５ａ  苗載面
４１Ａ  被挟持部位
４１Ｂ  被挟持部位
４１ｃ  挟持用の突部
４２Ａ  被挟持部位
４２Ｂ  被挟持部位
４２ｃ  挟持用の突部
４５Ａ  スペーサ
４５Ｂ  スペーサ
４５ｃ  挟持用の突部
４５ｄ  位置決め用の突部
４６Ａ  スペーサ
４６Ｂ  スペーサ
４６ｃ  挟持用の突部
４６ｄ  位置決め用の突部
５１    ロック機構
５２    ロック機構
５３    表面側ロック手段
５４    表面側ロック手段
５５    裏面側ロック手段
５６    裏面側ロック手段
５７    連結部材
５８    連結部材
６１    支持フレーム
６１Ａ  接合部
６２    支持フレーム
６２Ａ  接合部
８０    ロック機構
８１    上部側ロック手段
８２    下部側ロック手段
８３    連結部材
【図１】
2013215136.tif 000003
【図２】
2013215136.tif 000004
【図３】
2013215136.tif 000005
【図４】
2013215136.tif 000006
【図５】
2013215136.tif 000007
【図６】
2013215136.tif 000008
【図７】
2013215136.tif 000009
【図８】
2013215136.tif 000010
【図９】
2013215136.tif 000011
【図１０】
2013215136.tif 000012
【図１１】
2013215136.tif 000013
【図１２】
2013215136.tif 000014
【図１３】
2013215136.tif 000015
【図１４】
2013215136.tif 000016
【図１５】
2013215136.tif 000017
【図１６】
2013215136.tif 000018
【図１７】
2013215136.tif 000019
【図１８】
2013215136.tif 000020
【図１９】
2013215136.tif 000021
【図２０】
2013215136.tif 000022
【図２１】
2013215136.tif 000023
【図２２】
2013215136.tif 000024
【図２３】
2013215136.tif 000025
【図２４】
2013215136.tif 000026
【図２５】
2013215136.tif 000027
【図２６】
2013215136.tif 000028
【図２７】
2013215136.tif 000029